(57)【特許請求の範囲】
【請求項１】
本体１のベース（２）の前部にパンチ穴（３）を設け、後方に側壁（１８）を形成したベース（２）と、前部下面にパンチ刃（９）を固着したハンドル（６）とを、後部において枢着軸（３７）により回動可能に装着した１穴パンチ器において、前記ベース（２）に、パンチ穴（３）の中心から４０ｍｍの位置、及び１２ｍｍの位置に規制部を設けると共に、ベース（２）の上面及び側面に、パンチ穴（３）の中心から４０ｍｍ及び３１．５ｍｍ、並びに２８．５ｍｍ、更に１２ｍｍの位置に指標部（２１）を設け、前記指標部の近くに４個の穴符号を表示して成る１穴２穴３穴４穴穿孔用の１穴パンチ器。
【請求項２】
前部にパンチ穴（３）を設けたベース（２）と、前部下面にパンチ刃（９）を固着したハンドル（６）とを、後部において回動可能に装着した１穴パンチ器において、ベースの上面及び側面、もしくは一方に、複数の指標部を設けると共に、１、２、３、４の４個の穴符号を表記して成るベース（２）を設けた、１穴２穴３穴４穴穿孔用の１穴パンチ器。
【請求項３】
前部にパンチ穴（３）を設けたベース（２）と、下面にパンチ刃（９）を固着したハンドル(６)とを、後部において回動可能に装着し、ベース（２）に４個の指標部及び穴符号を設けた、１穴パンチ器の、ハンドル（６）の上面に、一対の側板(４４)及び針曲台を設け、その上方にフレーム(４１)並びにカバー(４２)を回動可能に装着したホッチキス部（Ｈ）を備え、前記ハンドルに、パンチ刃を設けた位置の上方に、押圧部（４８）を形成して成る。１穴２穴３穴４穴穿孔用の１穴パンチ器。
【発明の詳細な説明】
【０００１】
【発明の属する技術分野】
本発明は、1穴パンチで、書類やカード等の用紙に各種のファイル等に綴じ込むための、１穴、２穴、３穴、４穴等の孔をあける他、併設したホッチキス等による紙綴じもできる、１穴２穴３穴４穴穿孔用の１穴パンチ器に関するものである。
【０００２】
【従来の技術】
従来、１穴パンチで複数の穿孔を行うものとして、例えば次のようなものが開示されている。実公昭３８−５５０３号「定規付パンチ」、実公昭３９−２９０８２号「モノパンチ」、実公昭４９−７１８号「穿孔器」、実公昭５０−２２３９０号「紙綴孔穿孔機」、実公昭５３−６８６７号「綴穴明具」、実公昭６３−９４３９号「パンチ」、実開平１−８４９９９号「事務用パンチ」、実公昭５１−３５５８７号の「パンチ」等がある。
【０００３】
【発明が解決しようとする課題】
前記の従来のものは穿孔用途の種類も少なく、また用紙に穿孔する際に、位置合わせの表示が不明確なため、適正な規格の穿孔が困難である等の問題点や欠点があった。
【０００４】
本発明は、パンチ本体に定規等の附属品を必要とせず、本体の一部に明確な表示を附して、４種類の穿孔が確実に行えるようにすると共に、パンチ器にホッチキス等の事務器を併設した、１穴２穴３穴４穴穿孔用の１穴パンチ器を提供することを目的とするものである。
【０００５】
【課題を解決するための手段】
この目的を達成するために、本発明の多用途パンチ器は、前部にパンチ穴を設け、後方に側壁を形成したベースと、前部下面にパンチ刃を固着したハンドルとを、後部において枢着軸により回動可能に装着した１穴パンチ器において、前記ベースの１側に、パンチ穴の中心から４０ｍｍの位置、及び他の１側には１２ｍｍの位置に、規制部を設けると共に、ベースの上面及び側面に、パンチ穴の中心から４０ｍｍ、及び３１．５ｍｍ、並びに２８．５ｍｍ、更に１２ｍｍの位置に、指標部を設け、前記指標部の近くに穴符号を表示して成る１穴２穴３穴４穴穿孔用の１穴パンチ器である。
【０００６】
また、１穴パンチ器の、前部にパンチ穴を設けたベースと、前部下面にパンチ刃を固着したハンドルとを、後部において回動可能に装着した１穴パンチ器において、ベースの上面及び側面に、複数の指標部を設けると共に、穴符号を表記した１穴パンチ器のベースで構成する。
【０００７】
次に前部にパンチ穴を設けたベースと、下面にパンチ刃を固着したハンドルとを、後部において回動可能に装着し、ベースの一部に複数の指標部を設けた１穴パンチ器のハンドルの上方に、一対の側板、及び針曲台を設け、その上方にフレーム並びにカバーを回動可能に装着したホッチキス部を備え、前記ハンドルの、パンチ刃を設けた位置の上方に押圧部を形成して成る１穴２穴３穴４穴穿孔用の１穴パンチ器である。
【０００８】
【発明の実施の形態】
【０００９】
【実施例１】
以下図面を参照して、本発明の実施例について説明する。この１穴パンチ器は、構成を極めて簡素にすると共に、ホッチキスや、他の事務器等とも併設することができるように構成したものである。
【００１０】
１穴パンチ器本体１のベース２の前部に、パンチ穴３を設けると共に、図１のごとく手前側に、前記パン穴３の中心から４０ｍｍの位置に、規制部２０ｄを設けると共に、後方に向けて側壁１８ｄを形成する。更に反対側にも、パンチ穴３の中心から１２ｍｍの位置に、規制部２０ｅを設けると共に、その後方にかけて、側壁１８ｅを形成する。
【００１１】
そして、両側壁１８ｄ及び１８ｅの後部に枢着軸３７を設け、この枢着軸３７にハンドル６の後部に形成した取付部３８を、ハンドル６が回動できるように取り付ける。
【００１２】
次にハンドル６の下面に、パンチ刃９を固着すると共に、後方両側に切欠部４０・４０を形成する。そしてハンドル６を下方に押圧することにより、刃先１２が、ベース２上に載置された用紙を、穿切しながらパンチ穴３内に嵌入して、用紙の穿孔を行うようにする。
【００１３】
更にこのパンチ器本体１で、２穴の穿孔を行うために、図１のように、ベース２の上面に、パンチ穴３の中心から４０ｍｍの位置に、規制部２０ｄを形成すると共に、指標部２１を設け、その隣にパンチ穴数を示す、穴符号２２を表示する。次に３穴の穿孔を行うために、パンチ穴３の中心から３１．５ｍｍの位置、及び４穴の穿孔を行うための２８．５ｍｍの位置、並びに１穴の穿孔を行うために、１２ｍｍの位置に、それぞれ指標部２１を設けると共に、同指標部２１の脇に穿孔数字を示す、１・４・３・２等の穴符号２２を標記する。
【００１４】
また、ベース２の上面に、パンチ穴３の中心位置を示す表示部１９ｃを設け、この表示部１９ｃの延長線と、側壁１８ｅの内側との距離を、１２ｍｍになるように設定する。更にベース２の中央部上面に紙抑え部３９を設け、その前端に用紙の挿入口４を形成する。
【００１５】
以上、図１及び２に示す実施例１は上記のように構成されており、これにより１穴の穿孔を行うには、ベース２のパンチ穴３の上に穿孔する用紙を置いた後、用紙の端を規制部２０ｅ及び指標部２１に合わせて、ハンドル６を下方に押圧する。これによりハンドル９は枢着軸３７を中心として回動し、下面に固着したパンチ刃９の刃先１２が、用紙を穿孔しながらパンチ穴３内に嵌入して用紙に穿孔を行う。終了後ハンドル６を上方に回動すれば、穿孔された用紙を容易に取り出すことができる。
【００１６】
次に図３及び４に示すＡ４判用紙２４に、２穴及び４穴の穿孔を行う状態を説明する。Ａ４判用紙の規格サイズは、２１０ｍｍ×２９７ｍｍで、図３の左側の２９７ｍｍの部分には、２穴及び４穴の２種類の穿孔が行われ、それぞれのファイル帳に綴じられて使用されている。そして、２穴用の穴ピッチは８０ｍｍで、４穴用の穴ピッチは、図３のごとく、３個所とも８０ｍｍで、中心部の８０ｍｍは２穴用の穴ピッチと同一であり、両端はそれぞれ２８．５ｍｍの規格となっている。
【００１７】
このＡ４判用紙２４に、まず２穴の穿孔を行うには、Ａ４判用紙２４を図４のように二つ折りにする。そして折り返し辺２５を本体１のベース２の紙抑え部３９の下側に挿入させる。これにより折り返し辺２５は、指標部２１と、穴符号２２の穿孔数字２の直下になる。一方図４において左側の綴じ穴部側２６を図１に示す側壁１８ｅの裏側に当接させる。
【００１８】
そしてこの状態でハンドル６の上部を押圧すれば、パンチ刃９により、図４に示す第１次穴２７が穿孔される。紙抑え部３９から用紙２４を取り出して拡げれば、穴ピッチ８０ｍｍと、穴の中心から用紙の奥行き端部まで１２ｍｍの、規格の２穴が穿孔される。なお、この２穴の規格穴はＡ４判のみならず、Ｂ５判用紙についても同様である。
【００１９】
次にＡ４判用紙２４に本発明の特長である、４穴の穿孔を行うには、図４のように二つ折りにして、前記と同様に２穴の穿孔を行った後、両端部２８を挿入口４に挿入し、パンチ穴の中心から２８．５ｍｍの位置の指標部２１及び穴符号２２の、４の数字に合わせると共に、綴じ穴部側２６を規制部２０ｅに当接させた後、ハンドル６を押圧して穿孔を行う。
【００２０】
穿孔終了後、Ａ４判用紙２４を拡げれば、図３に示す３個所の穴ピッチ８０ｍｍと、両端が２８．５ｍｍの規格通りの穿孔が行われ、４穴用ファイル帳に綴じこむことができるものである。
【００２１】
次に図５に示す３穴パンチの穿孔について説明する。３穴ファイルに用いるレターサイズ用紙２９の規格サイズは、２７９ｍｍ×２１５ｍｍで、穴ピッチは図５のごとく２個所とも１０８ｍｍで、両端はそれぞれ３１．５ｍｍの規格となっている。
【００２２】
この用紙２９に３穴を穿孔するには、用紙２９を点線位置３０のように２つ折りにして中心線３１を形成し、この中心線３１の部分を、用紙２９を開いた状態でベース上面の表示部１９ｃの中心部に合わせると共に、用紙２９の奥行き端部３２を図１の規制部２０ｅに当接させて、ハンドル６を押圧すると、最初に、３穴パンチ穴の中心穴３３が穿孔される。
【００２３】
次いで、２つ折りした用紙２９の両端部２８ａを二重に合わせたまま、挿入口４に挿入してパンチ穴３の中心から３１．５ｍｍの位置にある指標部２１と、その上方の３の数字の穴符号２２の位置に合わせて、ハンドル６を押圧すれば、前述のごとく穿孔され、用紙２９を拡げれば、図５の実線に示す規格通りの３穴が穿孔されるものである。
【００２４】
なお、上記の３穴用ファイルについては、レターサイズ用紙２９の外、Ａ４判用紙を用いるところもあるので、その場合は、穴ピッチは２個所とも前記と同じ１０８ｍｍであるが、Ａ４判用紙が２９７ｍｍのため、両端部２８ａの寸法は、図５のレターサイズ用紙２９より９ｍｍ多い４０．５ｍｍとなる。
【００２５】
このためＡ４判用紙に３穴を穿孔する場合は、前記のごとく中心穴３３を穿孔した後、図４のように両端部２８を二重に合わせたまま、挿入口４に挿入して、パンチ穴３の中心から４０ｍｍの位置にある規制部２０ｄに当接させて、前述のごとく穿孔すれば、３穴用ファイルに綴じ込むことができるので、その旨を使用説明書に記載すれば良い。
【００２６】
【実施例２】
次に図６に示す、実施例２について説明する。この実施例２の１穴２穴３穴４穴穿孔用の１穴パンチ器は、前述の実施例１のパンチ器に屑受１７を設けると共に、図１に示す紙抑え３９を、図６のように、ベース２の側壁１８ｆの前部に形成したものである。
【００２７】
パンチ器本体１のベース２の前部にパンチ穴３を設けると共に、パンチ穴３の中心から１２ｍｍの位置以後の両側に、側壁１８f及び１８gを形成し、後部に枢着軸３７を設け、この枢着軸３７にハンドル６の後部に形成した取付部３８を、ハンドル６が回動可能に取り付ける。
【００２８】
次に、ハンドル６の下面に、パンチ刃９を固着すると共に、後方両側に切欠部４０及び４０を形成する。そしてハンドル６を下方に押圧することにより、パンチ刃９の刃先１２が、ベース２上に載置された用紙を、穿孔しながらパンチ穴３内に嵌入して穿孔を行う。
【００２９】
次に図６に示すように、側壁１８fの下面に、前部から後方に向けて、パンチ穴３の中心位置から４０ｍｍの位置まで切欠いて、用紙の挿入口４、及び紙抑え部３９を形成し、後端に規制部２０ｆを設ける。
【００３０】
また、このパンチ器本体１で、２穴の穿孔を行うために、前述の実施例のように、パンチ穴３の中心から後方の、４０ｍｍの位置、及び３穴の穿孔のために、同じく３１．５ｍｍの位置、並びに４穴穿孔のために、２８．５ｍｍの位置、更に１穴の穿孔を行うために、ほぼ１２ｍｍの位置に、ベース２の上面、及び紙抑え部３９、並びに屑受１７の側面に、それぞれ指標部２１を設けると共に、同指標部２１の近くに図6の如く、穿孔数字を示す、１・４・３・２等の穴符号２２を標記する。
【００３１】
更に、ベース２の上面に、パンチ穴３の中心位置を示す表示部１９ｄを設け、この表示部１９ｄの延長線と、側壁１８ｇの内側との距離を、１２ｍｍになるようにして規制壁２３ｂを設ける。
【００３２】
以上、図６に示す実施例２について説明したが、この１穴２穴３穴４穴穿孔用の１穴パンチ器による穿孔方法等については、前述の実施例１において説明したものと、ほぼ同様であるので説明を省略する。
【００３３】
なお、この実施例２については、ベース２を若干狭く成形し、側壁１８ｇの前部下面を、側壁１８ｆのように切欠いて、用紙の挿入口４を設けることもできる。
【００３４】
【実施例３】
次に図７及び、一部を切欠いた図８に示す、実施例３について説明する。この実施例３は、前述の図１及び２に示す、実施例１の１穴２穴３穴４穴穿孔用の１穴パンチ器の上面に、従来から販売されているホッチキスを併設したもので、４種類の穴あけの他、更に紙綴じもできるようにしたものである。
【００３５】
図７に示すように、ベース２の前部にパンチ穴３を設け、その後方に側壁１８ｄ及び１８ｅを形成すると共に、両側壁の前端部に規制部２０ｄ及び２０ｅを設ける。そしてベース２の上方に前部下面にパンチ刃９を固着すると共に、後部に取付部３８を形成したハンドル６を、ベース２に設けた枢着軸３７に、回動自在に取り付けてパンチ装置部Ｐを構成する。
【００３６】
次に、このパンチ装置Ｐにより、４種類の穿孔を行うために、ベース２の上面及び側面に、パンチ穴３の中心から、４０ｍｍ、及び３１．５ｍｍ、並びに２８．５ｍｍ、更に１２ｍｍの位置に、図７のごとく指標部２１及び穴符号２２を標示する。
【００３７】
次に、図８に示すように、パンチ装置部Ｐのハンドル６の上面に、内側にフレーム４１、及び外側にカバー４２を、軸４３により回動自在に装着するために、一対の側板４４を立設すると共に、側板４４の反対位置に、針曲台４５を固着し、更にカバー４２に、押刃４６を取り付け、更にフレーム４１内に針押し具４７を装着して、従来公知のホッチキスと同様に、ホッチキス装置部Ｈを構成する。
【００３８】
なお図７において、３９ａは紙抑え部３９が入る凹陥部、更に図８において４８は押圧部で、パンチ装置部Ｐにより穴あけをする際に、手前側に親指を当て、反対の裏側に人差し指や中指を当接させて、パンチ装置部Ｐのハンドル６を押圧するものであり、また４９は綴り針である。
【００３９】
以上、図７及び８に示す実施例３は上記のように構成されており、これにより用紙に穿孔を行うには、図７に示すハンドル６を開いた状態で、ベース２上に用紙を置いて、ハンドル６を下方に回動した後、前記のように押圧部４８を押圧することにより、穿孔を行うもので、２穴、３穴、４穴の穿孔方法は、前述の実施例１等の説明と同様であるので省略する。
【００４０】
次にホッチキス装置部Ｈによる書類等の紙綴りは、図８の状態で、針曲台４５の上に用紙を載せてから、カバー４２を押し下げれば、押刃４６が綴り針４９を押し出し、用紙を貫通した後、針曲台４５によって綴り針４９が曲げられて、用紙を綴じるもので、従来から用いられている、ホッチキスの使用方法と同じである。
【００４１】
なお、この１穴２穴３穴４穴穿孔用の１穴パンチ器に併設されたホッチキスは、図８に示された形状のホッチキスに限るものでなく、大型のものや小型のもの、あるいは折りたたみ型のホッチキス、タテヨコホッチキス等、すべてのものが活用できるものである。
【００４２】
【其の他の実施例】
以上本発明に係る、１穴２穴３穴４穴穿孔用の１穴パンチ器、並びに同器に用いるベース及びフレーム、並びに屑受の好適な実施例について説明したが、前記実施例に限るものではない。本発明の特徴である４種類の穿孔の外、実施例３においてはホッチキス、を併設したが、その他の文具類や、キャラクター等も併設できるものである。
【００４３】
なお、本出願の１穴パンチ器は、１穴から４穴までの、各種のファイルに綴じ込むための穿孔ができるものであるが、３穴ファイルは、アメリカ、カナダ等の国々で主として使用されているもので、このため、日本国内向けのパンチ器については、３穴穿孔用の指標部２１や穴符号２２は、なくしても差支えない。
【００４４】
また、アメリカ等においては穴ピッチが約７０ｍｍのファイルが使用されているが、これらのものについても、パンチ穴３の中心から穴ピッチ約７０ｍｍの半分の、約３５ｍｍの位置に、指標部２１や穴符号２２を標記することで対応できる外、特殊な穴ピッチの新商品を開発する場合にも、新しいパンチ穴ピッチの半分の長さの位置に、指標部２１や穴符号２２を設けることで対応できるものである。
【００４５】
なお、前述の各実施例において、ベース２や、屑受１７等に表記する規制部２０ｅ、指標部２１、穴符号２２は、製作過程によるプレスや成形による刻印や、各種の印刷等の他、シールやプレートの添付等、種々の方法で表示することができる。
【００４６】
更に、実施例３の、ホッチキスを併設した多用途パンチにおいて、多数枚の用紙に穿孔する場合には、従来から販売されている、パンチ付ホッチキス「パンチキス」（商標登録）のように、カバー４２に、綴り針４９が出ないように、錠止装置を設け、この装置により綴り針４９が出ないようにセットしてから、カバー４２の後方を強く押圧してもよい。
【００４７】
【発明の効果】
本発明は、以上説明したように構成されているので、以下に記載されるような効果を奏する。
【００４８】
１台の１穴パンチ器で、１穴から４穴まで多種類の綴じ穴が、ファイルの種類に応じて選択的に穿孔ができるので、極めて便利である。
【００４９】
従来のこの種のパンチ器においては、２種類以上の穿孔を行うために、パンチ器に定規等の附属品を必要としたが、本発明においてはそれらのものを必要とせず、操作が簡単なため、事務能率の向上を図ることができる。
【００５０】
１穴パンチ器の構成がシンプルなため、ホッチキスや他の事務器と、容易に併設が可能なため、多用途の事務処理ができるため便利重宝である。
【００５１】
構成が簡単なため、部品や資材が少なく、製造組立が容易なため、安価に提供できる利点がある。
【図面の簡単な説明】
【図１】  １穴パンチ器の実施例１における斜視図である。
【図２】  同上、縦断面図である。
【図３】  ４穴を穿孔した状態を示す、Ａ４判用紙の平面図である。
【図４】  Ａ４判用紙を中央から二つに折り返した状態の平面図である。
【図５】  ３穴を穿孔した状態を示す、レターサイズ用紙の平面図である。
【図６】  実施例２における斜視図である。
【図７】  実施例３における斜視図である。
【図８】  同上、一部を切欠いた縦断面図である。
【符号の説明】
１    本体
２    ベース
３    パンチ穴
４    挿入口
６    ハンドル
９    パンチ刃
１２  刃先
２１  指標部
２２  穴符号
３９  紙抑え部
４１  フレーム
４２  カバー
４３  軸
４４  側板
４５  針曲台
４６  押刃
４８  押圧部
【図１】
0003943733.tif 000002
【図２】
0003943733.tif 000003
【図３】
0003943733.tif 000004
【図４】
0003943733.tif 000005
【図５】
0003943733.tif 000006
【図６】
0003943733.tif 000007
【図７】
0003943733.tif 000008
【図８】
0003943733.tif 000009